(57)【特許請求の範囲】
【請求項１】
保存不可能として抜歯された複数の歯を対象として、歯種毎にそれぞれ複数本づつを抽出したサンプルにおける各歯のセメント・エナメル境または被覆冠歯の冠辺縁から縁下歯石付着部の最深部までの寸法であるサンプルアタッチメントレベルをそれぞれ計測する計測工程と、
前記各歯の総歯根膜面積および前記サンプルアタッチメントレベルに基づく前記各歯の喪失歯根膜面積を求める歯根膜面積演算工程と、
予め与えられる前記各歯の咬頭から顎関節の顆頭までの距離と、基準位置を与える特定の基準歯から前記顆頭までの距離との比、および予め与えられる前記基準歯の歯の長さと、前記各歯の長さとの比に基づき前記各歯の咬頭をテコの作用点とし、前記顆頭を前記テコの支点とする咬合力係数を前記各歯に関してそれぞれ求める咬合力係数演算工程と、
前記各歯種のみによって異なる咬合力係数と、前記喪失歯根膜面積との関係を各歯種毎に統計処理した場合に、両者の値に直線関係があることを利用して前記咬合力係数と、前記喪失歯根膜面積との関係を示す直線の式である咬合力-喪失歯根膜直線を作成する直線作成工程と、
前記直線作成工程において得られた前記咬合力-喪失歯根膜直線に基づき、前記咬合力係数を加味して補正した各歯の喪失時の喪失歯根膜面積である喪失時喪失歯根膜面積を求める喪失歯根膜面積検出工程と、
前記総歯根膜面積から前記喪失時喪失歯根膜面積を引いて求める喪失時残存歯根膜面積に基づき、（喪失時残存歯根膜面積／総歯根膜面積）×１００（％）を各歯の喪失時の歯周炎指標として算出する喪失時歯周炎指標演算工程とを有することを特徴とする歯周炎指標の作成方法。
【請求項２】
請求項１に記載する歯周炎指標の作成方法において、
歯根膜がすべて残っている場合の歯周炎指標を１００とし、歯根膜が全部失われている場合の歯周炎指標を０とし、前記各歯の喪失時の歯周炎指標を喪失時歯周炎指標としてこれらの値を表わす３点を通る線によって表わされ、総歯根膜面積に対する前記各歯の咬合力係数を加味した残存歯根膜面積の割合である歯周炎指標を作成する歯周炎指標作成工程とを有することを特徴とする歯周炎指標の作成方法。
【請求項３】
請求項１または請求項２に記載する歯周炎指標の作成方法において、
前記歯根膜面積演算工程は、前記各歯の総歯根膜面積を数量的に計算できる疑似歯根を作成する疑似歯根作成工程と、前記疑似歯根に基づき総歯根膜面積を算出する総歯根膜面積演算工程と、前記総歯根膜面積および前記サンプルアタッチメントレベルに基づき前記歯の喪失歯根膜面積を算出する喪失歯根膜面積演算工程とを有することを特徴とする歯周炎指標の作成方法。
【請求項４】
請求項３に記載する歯周炎指標の作成方法において、
前記歯根膜面積演算工程における疑似歯根は、単根歯の歯根を単一の円錐体とみなすとともに、複根歯の歯根を複数の円錐体の集合体と見なして、前記円錐体の底面の直径（Ｒ）を前記歯根の前記セメント・エナメル境の部分の直径、高さ（Ｈ）を歯根長、円錐の稜線長（Ｃ）を歯根稜線長として作成する一方、
前記総歯根膜面積は式（１）に基づき演算するとともに、残存歯根膜面積は式（２）に基づき演算し、かつ前記喪失歯根膜面積は式（３）を用いて所定の演算を行なうことにより求めることを特徴とする歯周炎指標の作成方法。
【数１】
0005441141.tif 000021
【数２】
0005441141.tif 000022
【数３】
0005441141.tif 000023
【請求項５】
請求項１または請求項２に記載する歯周炎指標の作成方法において、
前記咬合力係数は式（４）に基づき演算することを特徴とする歯周炎指標の作成方法。
【数４】
0005441141.tif 000024
ただし、上式（４）において、
Ｔ：各歯種の咬合部位より顎関節顆頭までの距離
Ａ：下顎前歯１番の切縁から顎関節顆頭までの距離（基準値）
Ｐ：下顎前歯１番の切縁唇面隅角部から歯根尖までの距離（基準値）
Ｑ：歯の長さ（咬合接触している部位から最も遠い歯根尖までの距離）
【請求項６】
請求項２に記載する歯周炎指標の作成方法において、
前記歯周炎指標作成工程は、前記残存歯根膜面積を横軸に採り、前記歯周炎指標を縦軸に採った場合において、
歯根膜がすべて残っている場合の歯周炎指標である１００と、歯根膜が全部失われている場合の歯周炎指標である０との２点を結ぶ直線を引き、
前記喪失時の歯周炎指標をプロットして、このプロットした点を通る直線となるように前記直線を平行移動し、
さらに前記歯周炎指標が０と１００の２点を通り、かつ前記プロットした点でのみ前記平行移動した直線に接する歯周炎指標曲線を作成し、特定の残存歯根膜面積に対応する前記歯周炎指標曲線上の点を、前記特定の残存歯根膜面積に対応する歯周炎指標とすることを特徴とする歯周炎指標の作成方法。
【請求項７】
保存不可能として抜歯された複数の歯を対象として、歯種毎にそれぞれ複数本づつを抽出したサンプルにおける各歯のセメント・エナメル境または被覆冠歯の冠辺縁から縁下歯石付着部の最深部までの寸法であるサンプルアタッチメントレベルをそれぞれ計測して得た前記サンプルの計測値を表すサンプリングデータが入力され、
請求項１に記載する歯周炎指標の作成方法における歯根膜面積演算工程、咬合力係数演算工程、喪失歯根膜面積検出工程および喪失時歯周炎指標演算工程の各処理を実行して前記各歯の喪失時の歯周炎指標を作成する演算処理部を有することを特徴とする歯周炎指標作成装置。
【請求項８】
請求項７に記載する歯周炎指標の作成装置において、
前記演算処理部は、請求項２または請求項６に記載する歯周炎指標の作成方法における歯周炎指標作成工程の処理を実行して、さらに歯周炎指標を作成するように構成したことを特徴とする歯周炎指標作成装置。
【請求項９】
請求項１〜請求項５のいずれか一つに記載する歯周炎指標の作成方法における歯根膜面積演算工程、咬合力係数演算工程、喪失歯根膜面積検出工程および喪失時歯周炎指標演算工程の各処理を請求項７に記載する歯周炎指標作成装置に実行させることを特徴とする歯周炎指標作成プログラム。
【請求項１０】
請求項２または請求項６に記載する歯周炎指標の作成方法における歯周炎指標作成工程の処理を請求項８に記載する歯周炎指標作成装置に実行させることを特徴とする歯周炎指標作成プログラム。
【請求項１１】
請求項７に記載する歯周炎指標作成装置で読み取り可能な請求項９に記載する歯周炎指標作成プログラムを記録したことを特徴とする記録媒体。
【請求項１２】
請求項８に記載する歯周炎指標作成装置で読み取り可能な請求項１０に記載する歯周炎指標作成プログラムを記録したことを特徴とする記録媒体。
【請求項１３】
診断対象となる特定の歯のアタッチメントレベルを計測して実測アタッチメントレベルを検出し、
前記実測アタッチメントレベルに基づき前記診断対象の歯の残存歯根膜面積を算出するとともに、
請求項２または請求項６に記載する歯周炎指標作成工程により前記残存歯根膜面積に対応する前記特定の歯の歯周炎指標を作成することを特徴とする歯周炎の診断方法。
【請求項１４】
請求項１３において実測した特定の歯の実測アタッチメントレベルを表わす実測データが入力されるとともに、
前記実測アタッチメントレベルに基づき前記診断対象の歯の残存歯根膜面積を算出し、さらに請求項２または請求項６に記載する歯周炎指標作成工程の処理を実行して前記残存歯根膜面積に対応する前記特定の歯の歯周炎指標を作成する演算処理部を有することを特徴とする歯周炎の診断装置。
【請求項１５】
請求項１３に記載する歯周炎の診断方法における実測アタッチメントレベルに基づく診断対象の歯の残存歯根膜面積を算出するとともに、
請求項２または請求項６に記載する歯周炎指標作成工程により前記残存歯根膜面積に対応する前記特定の歯の歯周炎指標を作成する処理を、
請求項１４に記載する歯周炎の診断装置に実行させることを特徴とする歯周炎の診断プログラム。
【請求項１６】
請求項１４に記載する歯周炎の診断装置で読み取り可能な請求項１５に記載する歯周炎の診断プログラムを記録したことを特徴とする記録媒体。
【発明の詳細な説明】
【技術分野】
【０００１】
本発明は歯周炎指標の作成方法、その作成装置、その作成プログラム、これを記録した記録媒体ならびに歯周炎の診断方法、その診断装置、その診断プログラムおよびこれを記録した記録媒体に関し、特に歯周病による抜歯の必要性を判断する場合に適用して有用なものである。
【背景技術】
【０００２】
いずれの疾患においても、その進行の程度を表す指標が必要なのは基本であるが、歯周病治療においても、また昨今のトゥースインプラント治療においても予知性の高い抜歯基準の確立が望まれている。歯周病は歯を支えている歯槽骨がなくなっていく病気であるが、完全になくなってしまうと顎堤を土台として装着される義歯は不安定になる。また、歯槽骨中に埋め込むトゥースインプラント処置もできなくなり、咀嚼回復が困難になる。【０００３】
そこで、歯周病罹患歯をいつの時点で保存不可能と判断し、比較的多くの歯槽骨を残しながら抜歯を行なうかが歯周病治療における共通の問題点となる。すなわち、客観的で正確な抜歯基準を提示することが喫緊の課題である。【０００４】
ＳＳ／Ｓ（Ｓ＝総歯根膜面積、ＳＳ＝残存歯根膜面積）は歯周病を診断する時の診断基準のひとつとして古今東西歯周病学者により研究され、その値を出すための方法論が種々論じられてきた。かかる診断基準を得るひとつとしてＸ−Ｐ写真を白紙にトレースし、歯根をとりまく歯槽骨の量を計測する方法が提案されている。ただ、かかる方法は、Ｘ−Ｐ写真をいちいちトレースしなければならないため時間がかかること、またＸ−Ｐ照射量が全ての人々に一定しているわけではないこと、そして照射方向が一定ではないこと、さらに被験者の骨密度がまちまちであること等の原因により、同一の基準として評価され得なかった。【０００５】
これらの問題点を改良したものがＣＴを用い複数方向からの撮影でコンピュータを用いて立体的な歯周組織を再現することによりＳＳ／Ｓを計測する方法である。このようにＣＴを利用する方法では、一般的に歯周治療で行われる歯周病検診は一生のうちで何十回と行われるのだが、それを考えると膨大な放射線被爆量になること、そして、人体及び動物実験の様な単身の実験用方法としては成立するが、ＣＴが比較的普及している環境ではいざ知らず、一国内に数台しかない国がほとんどの状態で、広範囲に歯周病診断を行なうのは困難である。さらに、例えこのＳＳ／Ｓを正確に算出することができたとしても、その指標自体は、ポケット深さ等、他の診断方法と同様、単独で客観的な基準を提供する数字とはならず、他の診断方法による診断結果を加味して総合的に判断しなければならないという不便も存在する。【０００６】
健康な歯を支持する全歯根表面積（Ｓ）に対する現在の歯を支持する残存歯根表面積（ＳＣ）の割合（ＳＣ／Ｓ）として算出された値を歯根表面積指標とし、同指標に基づいて歯周病の進行状態を検査する歯周病の検査方法を開示する先行技術として特許文献１および特許文献２が公知である。
【先行技術文献】
【特許文献】
【０００７】
【特許文献１】特開２０１１−９８０４７号公報
【特許文献２】特開２０１１−７２５７３号公報
【発明の概要】
【発明が解決しようとする課題】
【０００８】
ところが、特許文献１および特許文献２が指標として開示する歯根表面積指標（ＳＣ／Ｓ）は、上述の如く抜歯基準を表す単独な指標とはなり得ないばかりでなく、歯根表面積指標（ＳＣ／Ｓ）を、歯を歯科用Ｘ線によって撮像する画像処理を前提とする。【０００９】
このため、種々の診察機器を備える先進国の医療現場ではともあれ、Ｘ線撮像機器等の備えが充分ではない開発途上国等においては、適用が困難であるという問題がある。【００１０】
さらには、例え歯根表面積指標（ＳＣ／Ｓ）を正確に算出しても、単独では信頼性の高い指標とはなり得ない。【００１１】
本発明は、上記従来技術の問題点に鑑み、簡単な検査で信頼性の高い抜歯基準を提示し得る歯周炎指標の作成方法、その作成装置、その作成プログラム、これを記録した記録媒体ならびに歯周炎の診断方法、その診断装置、その診断プログラムおよびこれを記録した記録媒体を提供することをも目的とする。
【課題を解決するための手段】
【００１２】
上述の如く、従来使用されていた歯根表面積指標（ＳＣ／Ｓ）を正確に算出しても、当該歯根表面積指標単独では信頼性の高い指標とはなり得ない。その原因としては、次のことが考えられる。すなわち、例えば、図１に示すように、（ＳＣ／Ｓ）＝１／２である２種類の歯を考える。ひとつは下顎１番（図１（ａ）参照）、もうひとつは下顎７番（図１（ｂ）参照）の歯である。図１に示す歯は、いずれも（ＳＣ／Ｓ）＝１／２であるが、歯周病臨床診断では、図１（ａ）に示す下顎１番は予後良好であるが、図１（ｂ）に示す下顎７番は予後不良、歯周病診断で言うと歯周病の重篤となる。【００１３】
このように、従来の歯根表面積指標（ＳＣ／Ｓ）だけでは歯周病の臨床的診断はできず、歯根表面積指標（ＳＣ／Ｓ）は診断の一助ではあるが、その他の種々の診断方法を用い総合的に診断を下さなければならない。【００１４】
そこで、歯根表面積指標（ＳＣ／Ｓ）が、同じ（例えば１／２）であっても歯周病臨床診断においては差がでてしまう原因について考察する。それには、まず歯周病臨床の現象を知る必要がある。【００１５】
歯周病治療が施されメンテナンス期に入った歯周病患者で、予後不良でやむなく抜歯となった歯牙２２１歯を上・下顎における左側、右側の歯種で分散して観察した。この結果、歯牙喪失時のアタッチメントレベルは上・下顎差、左右差はなく歯種に依り異なることが分かった。【００１６】
ここで、アタッチメントレベルとは歯周支持組織の程度のことでありそのひとつは歯槽骨のレベルを示す。図１（ａ）の下顎１番の歯の場合を例に採ると、アタッチメントレベルＭは、表面がエナメル質からなる歯冠部１と、表面がセメント質からなる歯根部２との境であるセメント・エナメル境ＣＥＪから歯面に沿わせて歯根膜が喪失している最下部までの距離として与えられる。ここで、喪失された歯根膜を喪失歯根膜３Ａと称し、喪失歯根膜３Ａの歯根部２における全周の面積を喪失歯根膜面積ＳＬと称す。また、歯槽骨４内に残存する歯根膜を残存歯根膜３Ｂと称し、残存歯根膜３Ｂの歯根部２における全周の面積を残存歯根膜面積ＳＳと称す。【００１７】
上述の如く、予後不良でやむなく抜歯となった歯牙２２１歯の上・下顎および左側、右側における分布を表１に、各歯のアタッチメントレベルを表２に、また各歯のアタッチメントレベルの棒グラフを図２にそれぞれ示す。【００１８】
【表１】
0005441141.tif 000002
【００１９】
【表２】
0005441141.tif 000003
【００２０】
予後不良でやむなく抜歯となった各歯間のアタッチメントレベルの差の発生原因について考察した結果、それには咬合力が関係していることが判明した。さらに詳言すると、歯根の周りをとり囲んでいる歯根膜、それは歯根表面とのセメント質と周囲の歯槽骨とをつなげている結合組織で、歯の支持、保持を行っている。それが歯周病に依り破壊され喪失してしまった歯根表面上の面積は、咀嚼したりくいしばったりする時の咬合力とパラレルであることが分かった。すなわち、顎関節に近い咬合力が強く作用する歯種程、歯周病に依り喪失する歯根膜面積が大きい。換言すると、（ＳＣ／Ｓ）＝１／２の前歯と臼歯では残っている歯根膜面積は半分どうしでも、臼歯の方が残っている歯根膜が早々に喪失してしまい、前歯に比べ臼歯の方が予後が悪いということになる。【００２１】
そこで、咬合力を加味することにより歯周病の程度を正確に反映した指標を得ることができるのではないかとの予測の下、咬合力の作用を適切に取り入れた指標を得る本願発明に思い至った。【００２２】
かかる予測に基づき上記目的を達成する本発明の第１の態様は、
保存不可能として抜歯された複数の歯を対象として、歯種毎にそれぞれ複数本づつを抽出したサンプルにおける各歯のセメント・エナメル境または被覆冠歯の冠辺縁から縁下歯石付着部の最深部までの寸法であるサンプルアタッチメントレベルをそれぞれ計測する計測工程と、
前記各歯の総歯根膜面積および前記サンプルアタッチメントレベルに基づく前記各歯の喪失歯根膜面積を求める歯根膜面積演算工程と、
予め与えられる前記各歯の咬頭から顎関節の顆頭までの距離と、基準位置を与える特定の基準歯から前記顆頭までの距離との比、および予め与えられる前記基準歯の歯の長さと、前記各歯の長さとの比に基づき前記各歯の咬頭をテコの作用点とし、前記顆頭を前記テコの支点とする咬合力係数を前記各歯に関してそれぞれ求める咬合力係数演算工程と、
前記各歯種のみによって異なる咬合力係数と、前記喪失歯根膜面積との関係を各歯種毎に統計処理した場合に、両者の値に直線関係があることを利用して前記咬合力係数と、前記喪失歯根膜面積との関係を示す直線の式である咬合力-喪失歯根膜直線を作成する直線作成工程と、
前記直線作成工程において得られた前記咬合力-喪失歯根膜直線に基づき、前記咬合力係数を加味して補正した各歯の喪失時の喪失歯根膜面積である喪失時喪失歯根膜面積を求める喪失歯根膜面積検出工程と、
前記総歯根膜面積から前記喪失時喪失歯根膜面積を引いて求める喪失時残存歯根膜面積に基づき、（喪失時残存歯根膜面積／総歯根膜面積）×１００（％）を各歯の喪失時の歯周炎指標として算出する喪失時歯周炎指標演算工程とを有することを特徴とする歯周炎指標の作成方法にある。【００２３】
本態様によれば、歯根膜は、歯の支持、保持を行っているが、歯周病に依り破壊され、喪失してしまった歯根表面上の面積は、咀嚼したりくいしばったりする時の咬合力とパラレルであるという知見に基づき咬合力係数という新たな概念を導入するとともに、サンプルアッタチメントレベルとの関係から求まる各歯の喪失時の喪失歯根膜面積が前記咬合力係数と一次関数で表される強い相関関係があり、歯の喪失時の喪失歯根膜面積が、咬合力係数を加味したものとして表すことができるという知見を利用して、総歯根膜面積に対する各歯の喪失時の、咬合力係数を加味した残存歯根膜面積の割合である歯周炎指標を作成することができる。【００２４】
この結果、歯周炎の進行の程度を的確に反映した新たな客観的な指標を作成するに当たり必要となる、各歯の喪失時の、咬合力係数を加味した残存歯根膜面積の割合である喪失時歯周炎指標を得ることができる。【００２５】
本発明の第２の態様は、
第１の態様に記載する歯周炎指標の作成方法において、
歯根膜がすべて残っている場合の歯周炎指標を１００とし、歯根膜が全部失われている場合の歯周炎指標を０とし、前記各歯の喪失時の歯周炎指標を喪失時歯周炎指標としてこれらの値を表わす３点を通る線によって表わされ、総歯根膜面積に対する前記各歯の咬合力係数を加味した残存歯根膜面積の割合である歯周炎指標を作成する歯周炎指標作成工程とを有することを特徴とする歯周炎指標の作成方法にある。【００２６】
本態様により得られる歯周炎指標は、歯周炎の進行の程度を的確に反映した客観的な指標となり、抜歯基準を客観的に提示する指標として有用なものとなる。すなわち、本態様によれば、より高精度に歯周病臨床に則した歯の健康度の絶対的な指標としての歯周炎指標を容易に提供することができる。【００２７】
本発明の第３の態様は、
第１または第２の態様に記載する歯周炎指標の作成方法において、
前記歯根膜面積演算工程は、前記各歯の総歯根膜面積を数量的に計算できる疑似歯根を作成する疑似歯根作成工程と、前記疑似歯根に基づき総歯根膜面積を算出する総歯根膜面積演算工程と、前記総歯根膜面積および前記サンプルアタッチメントレベルに基づき前記歯の喪失歯根膜面積を算出する喪失歯根膜面積演算工程とを有することを特徴とする歯周炎指標の作成方法にある。【００２８】
本態様によれば、疑似歯根を作成することで、総歯根膜面積、喪失歯根膜面積および残存歯根膜面積を擬似歯根に基づく面積として簡単かつ的確に求めることができる。【００２９】
本発明の第４の態様は、
第３の態様に記載する歯周炎指標の作成方法において、
前記歯根膜面積演算工程における疑似歯根は、単根歯の歯根を単一の円錐体とみなすとともに、複根歯の歯根を複数の円錐体の集合体と見なして、前記円錐体の底面の直径（Ｒ）を前記歯根の前記セメント・エナメル境の部分の直径、高さ（Ｈ）を歯根長、円錐の稜線長（Ｃ）を歯根稜線長として作成する一方、
前記総歯根膜面積は式（１）に基づき演算するとともに、残存歯根膜面積は式（２）に基づき演算し、かつ前記喪失歯根膜面積は式（３）を用いて所定の演算を行なうことにより求めることを特徴とする歯周炎指標の作成方法にある。【００３０】
【数１】
0005441141.tif 000004
【００３１】
【数２】
0005441141.tif 000005
【００３２】
【数３】
0005441141.tif 000006
【００３３】
本態様によれば、簡単かつ的確に疑似歯根を作成することができ、これに基づく総歯根膜面積、残存歯根膜面積および、喪失歯根膜面積を簡単かつ的確に求めることができる。【００３４】
本発明の第５の態様は、
第１または第２の態様に記載する歯周炎指標の作成方法において、
前記咬合力係数は式（４）に基づき演算することを特徴とする歯周炎指標の作成方法にある。【００３５】
【数４】
0005441141.tif 000007
【００３６】
ただし、上式（４）において、
Ｔ：各歯種の咬合部位より顎関節顆頭までの距離
Ａ：下顎前歯１番の切縁から顎関節顆頭までの距離（基準値）
Ｐ：下顎前歯１番の切縁唇面隅角部から歯根尖までの距離（基準値）
Ｑ：歯の長さ（咬合接触している部位から最も遠い歯根尖までの距離）
本態様によれば、具体的かつ的確な咬合力係数を提供することができる。【００３７】
本発明の第６の態様は、
第２の態様に記載する歯周炎指標の作成方法において、
前記歯周炎指標作成工程は、前記残存歯根膜面積を横軸に採り、前記歯周炎指標を縦軸に採った場合において、
歯根膜がすべて残っている場合の歯周炎指標である１００と、歯根膜が全部失われている場合の歯周炎指標である０との２点を結ぶ直線を引き、
前記喪失時の歯周炎指標をプロットして、このプロットした点を通る直線となるように前記直線を平行移動し、
さらに前記歯周炎指標が０と１００の２点を通り、かつ前記プロットした点でのみ前記平行移動した直線に接する歯周炎指標曲線を作成し、特定の残存歯根膜面積に対応する前記歯周炎指標曲線上の点を、前記特定の残存歯根膜面積に対応する歯周炎指標とすることを特徴とする歯周炎指標の作成方法にある。【００３８】
本態様によれば、歯周炎指標曲線を利用して残存歯根膜面積を特定するだけで咬合力を加味した所望の歯周炎指標を得ることができる。【００３９】
本発明の第７の態様は、
保存不可能として抜歯された複数の歯を対象として、歯種毎にそれぞれ複数本づつを抽出したサンプルにおける各歯のセメント・エナメル境または被覆冠歯の冠辺縁から縁下歯石付着部の最深部までの寸法であるサンプルアタッチメントレベルをそれぞれ計測して得た前記サンプルの計測値を表すサンプリングデータが入力され、
第１の態様に記載する歯周炎指標の作成方法における歯根膜面積演算工程、咬合力係数演算工程、喪失歯根膜面積検出工程および喪失時歯周炎指標演算工程の各処理を実行して前記各歯の喪失時の歯周炎指標を作成する演算処理部を有することを特徴とする歯周炎指標作成装置にある。【００４０】
本態様によれば、サンプルアタッチメントレベルに関するサンプリングデータを演算処理部に入力するだけで、各歯の喪失時の歯周炎指標を自動的に得ることができる。【００４１】
この結果、より高精度に歯周病臨床に則した歯の健康度の絶対的な指標である歯周炎指標の作成に寄与させることができる。【００４２】
本発明の第８の態様は、
第７の態様に記載する歯周炎指標の作成装置において、
前記演算処理部は、第２の態様または第６の態様に記載する歯周炎指標の作成方法における歯周炎指標作成工程の処理を実行して、さらに歯周炎指標を作成するように構成したことを特徴とする歯周炎指標作成装置にある。【００４３】
本態様によれば、高精度に歯周病臨床に則した歯の健康度の絶対的な指標である歯周炎指標を自動的に作成させることができる。【００４４】
本発明の第９の態様は、
第１〜第５の態様のいずれか一つに記載する歯周炎指標の作成方法における歯根膜面積演算工程、咬合力係数演算工程、喪失歯根膜面積検出工程および喪失時歯周炎指標演算工程の各処理を第７の態様に記載する歯周炎指標作成装置に実行させることを特徴とする歯周炎指標作成プログラムにある。【００４５】
本態様によれば、第１の態様に記載する歯周炎指標の作成方法における所定の工程の処理を第７の態様に記載する歯周炎指標作成装置に良好に実行させることができる。ここで、当該歯周炎指標作成プログラムのデータはインターネット等の電気通信回線を介しても良好に歯周炎指標作成装置に提供し得る。したがって、当該歯周炎指標作成プログラムをインターネット等からパソコンにダウンロードすることにより汎用のパソコンを、上記歯周炎指標ＢＰＩを作成する歯周炎指標作成装置として機能させることができる。【００４６】
本発明の第１０の態様は、
第２または第６の態様に記載する歯周炎指標の作成方法における歯周炎指標作成工程の処理を第８の態様に記載する歯周炎指標作成装置に実行させることを特徴とする歯周炎指標作成プログラムにある。【００４７】
本態様によれば、第２または第６の態様に記載する歯周炎指標の作成方法における所定の工程の処理を、歯周炎指標作成工程の処理も含め第７の態様に記載する歯周炎指標作成装置に良好に実行させることができる。【００４８】
本発明の第１１の態様によれば、
第７の態様に記載する歯周炎指標作成装置で読み取り可能な第９の態様に記載する歯周炎指標作成プログラムを記録したことを特徴とする記録媒体にある。【００４９】
本態様によれば、第９の態様に記載する歯周炎指標作成プログラムの頒布等を良好に行うことができる。この結果、パソコン等のハードウエアがあれば、これに対しインストールすることにより、何処でも容易に各歯の喪失時の喪失歯根膜面積に基づく喪失時歯周炎指標の作成装置としての機能を発揮させることができる。【００５０】
本発明の第１２の態様によれば、
第８の態様に記載する歯周炎指標作成装置で読み取り可能な第１０の態様に記載する歯周炎指標作成プログラムを記録したことを特徴とする記録媒体にある。【００５１】
本態様によれば、第１０の態様に記載する歯周炎指標作成プログラムの頒布等を良好に行うことができる。この結果、パソコン等のハードウエアがあれば、これに対しインストールすることにより、何処でも容易に歯周炎作成装置としての機能を発揮させることができる。【００５２】
本発明の第１３の態様は、
診断対象となる特定の歯のアタッチメントレベルを計測して実測アタッチメントレベルを検出し、
前記実測アタッチメントレベルに基づき前記診断対象の歯の残存歯根膜面積（ＳＳ）を算出するとともに、
第２の態様または第６の態様に記載する歯周炎指標作成工程により前記残存歯根膜面積（ＳＳ）に対応する前記特定の歯の歯周炎指標（ＢＰＩ）を作成することを特徴とする歯周炎の診断方法にある。【００５３】
本態様によれば、診断対象となる特定の歯の実測アタッチメントレベルのデータを得るだけで、歯種により異なる咬合力を加味した歯周炎指標を求めて歯周炎治療の際の的確かつ客観的な抜歯基準を得ることができる。この結果、適切な歯周炎治療を行うことができる。【００５４】
本発明の第１４の態様は、
第１３の態様において実測した特定の歯の実測アタッチメントレベルを表わす実測データが入力されるとともに、
前記実測アタッチメントレベルに基づき前記診断対象の歯の残存歯根膜面積を算出し、さらに第２または第６の態様に記載する歯周炎指標作成工程の処理を実行して前記残存歯根膜面積に対応する前記特定の歯の歯周炎指標を作成する演算処理部を有することを特徴とする歯周炎の診断装置にある。【００５５】
本態様によれば、診断対象となる特定の歯のアタッチメントレベルを計測して得る実測アタッチメントレベルのデータを入力するだけで、歯種により異なる咬合力を加味した歯周炎指標を簡単かつ自動的に求めることができる。この結果、歯周炎治療の際の的確かつ客観的な抜歯基準を容易に得ることができ、適切な歯周炎治療を容易かつ迅速に行うことができる。ここで、当該診断装置はパソコン等で好適に作製することができる。したがって、特定の歯の実測アタッチメントレベルのデータさえ得られれば、何処にでも簡単に搬送し得る診断装置として汎用性に優れる装置となる。この結果、小型かつ汎用性に優れる装置として歯周炎による客観的な抜歯基準を提供する診断に資することができる。すなわち、従来この種の診断に用いていたＸ線装置等に較べれば、飛躍的に装置の小型化を図ることができ、可搬性も飛躍的に向上し、ハンドリングも容易になる。さらに、治療等に伴うＸ線被曝量も可及的に低減し得る。【００５６】
本発明の第１５の態様は、
第１３の態様に記載する歯周炎の診断方法における実測アタッチメントレベルに基づく診断対象の歯の残存歯根膜面積を算出するとともに、
第２または第６の態様に記載する歯周炎指標作成工程により前記残存歯根膜面積に対応する前記特定の歯の歯周炎指標を作成する処理を、
第１４の態様に記載する歯周炎の診断装置に実行させることを特徴とする歯周炎の診断プログラムにある。【００５７】
本態様によれば、所定の歯周炎指標を自動的に生成させて、容易かつ迅速な歯周炎の治療に資することができる。ここで、当該歯周炎の診断プログラムのデータはインターネット等の電気通信回線を介しても良好に歯周炎指標作成装置に提供し得る。したがって、当該歯周炎の診断プログラムをインターネット等からパソコンにダウンロードすることによりパソコンを歯周炎診断の診断装置として機能させることができる。【００５８】
本発明の第１６の態様は、
第１４の態様に記載する歯周炎の診断装置で読み取り可能な第１５の態様に記載する歯周炎の診断プログラムを記録したことを特徴とする記録媒体にある。【００５９】
本態様によれば、当該プログラムの頒布等を良好に行うことができる。この結果、Ｘ線撮像装置等の高価な医療機器がなくてもパソコン等の汎用性のある安価なハードウエアがあれば、これに対しインストールすることにより、何処でも容易に歯周炎指標作成装置としての機能を発揮させることができる。
【発明の効果】
【００６０】
本発明においては、まず喪失歯根膜面積または残存歯根膜面積と咬合力との強い相関関係に基づき両者の関係を表わした式により求まる咬合力−喪失歯根膜直線を利用して新規な歯周炎指標を求めている。この歯周炎指標は歯周病臨床の法則に則り算出され、咬合力を加味して補正した補正残存歯根膜面積または補正喪失歯根膜面積を用いたものであるので、歯周病臨床に則した歯の健康度の絶対評価となる。特にその導き出された過程から、歯の喪失時近辺を詳細に示す、歯周炎の進行の程度を的確に表す予知性の高い指標となる。【００６１】
さらに本発明によれば、歯周病臨床において羅患歯の所定の（最深部の）アタッチメントレベルの計測により、複雑な機器や手順をとらずとも、ＢＰＩソフトに入力することで歯周病評価が可能となる。そのことは機器の欠点に依る誤差や術者間の判断の誤差を生ずることなく、全世界的にまた経時的に同一レベルで歯周病評価が可能となり、歯周病における一般臨床においてもまた歯周病臨床実験においても歯周病評価の有用な手法となり得る。
【図面の簡単な説明】
【００６２】
【図１】歯を模式的に示す図で、（ａ）が単根歯、（ｂ）が複根歯である。
【図２】歯周炎のため保存不可能として抜歯した各歯種毎のサンプルアタッチメントレベルを示すグラフである。
【図３】各種疑似歯根を模式的に示す説明図である。
【図４】円錐体と見なして単根歯の疑似歯根を作成する場合の各部の寸法を説明するための説明図である。
【図５】咬合力係数と喪失時の喪失歯根膜面積である喪失時喪失歯根膜面積との関係を示すグラフである。
【図６】咬合力を加味した残存歯根膜面積と歯周炎係数ＢＰＩとの関係を示す歯周炎指標曲線の作成方法を示す説明図である。
【図７】人種毎、また歯種毎に異なる歯周炎曲線を上顎および下顎に関してそれぞれ示すグラフである。
【図８】本発明の実施の形態に係る歯周炎指標作成装置を示すブロック図である。
【図９】図８に示す装置の演算処理部のハードウエア構成を示すブロック図である。
【発明を実施するための形態】
【００６３】
以下本発明の実施の形態を図面に基づき詳細に説明する。
【００６４】
＜歯周炎指標の作成方法および歯周炎の診断方法＞
本実施の形態に係る歯周炎指標の作成方法においては、まず保存不可能として抜歯された複数の歯（本例では２２１本）を対象として、歯種毎にそれぞれ複数本づつを抽出したサンプル（表１参照）における各歯のセメント・エナメル境または被覆冠歯の冠辺縁から縁下歯石付着部の最深部までの寸法であるアタッチメントレベルを測定する。この測定は、ｍｍ単位で実施し、１本の歯につき６点（頬側近心、頬側中央、頬側遠心、舌側近心、舌側中央、下側遠心）で測定し、上顎、左右側の１番〜７番のそれぞれの歯および下顎、左右側の１番〜７番のそれぞれの歯のサンプルアッタッチメントレベルとする。かかるサンプルアッタッチメントレベルは、各歯のアタッチメントレベルの測定の結果得られる最も大きい値とする。ここで、それぞれの歯の縁下歯石付着最深部の値を各歯種毎に分け（小臼歯部においては解剖学的困難性から４番と５番を一緒にした）平均値を求めた（表1および表２参照）。さらに具体的には、各歯から得られたアタッチメントレベルの測定値から、（上下左右各歯種の）アタッチメントレベルの平均値を算出し、その値で２元配置分散分析を行ってサンプルアッタチメントレベルＭとした。
【００６５】
その結果を示したのが前述の表２である。同表を参照すれば明らかな通り、歯の喪失時のサンプルアタッチメントレベルＭの最大値は上顎・左側の２番の１１．０ｍｍ、最小値は下顎・７番の４．０ｍｍであり、前歯で大きく、臼歯で小さい傾向にある。統計処理をしたところ、後に詳述する通り、歯の喪失時のサンプルアタッチメントレベルＭの歯種別平均値で上顎と下顎との間、また右側と左側との間の差は認められなかったが、１番から７番の歯種による差が認められた（Ｐ＝０．００１４）。
【００６６】
次に、上記サンプルとした各歯の総歯根膜面積Ｓを数量的に計算できる疑似歯根を作成するとともに、疑似歯根に基づき各歯の総歯根膜面積Ｓ、サンプルアタッチメントレベルＭに基づき前記各歯の残存歯根膜面積ＳＳ、および総歯根膜面積Ｓと残存歯根膜面積ＳＳとの差である喪失歯根膜面積ＳＬを算出する。
【００６７】
具体的には、次のような擬似歯根を作成し、これに基づき次のような所定の演算を行って、総歯根膜面積Ｓ、残存歯根膜面積ＳＳおよび喪失歯根膜面積ＳＬを算出する。
【００６８】
まず、歯根膜面積を数量的に計算出来る疑似歯根を作る。具体的には、単根歯の歯根は円錐体と見なし、複根歯は複数の円錐体の集合体と見なす。そして歯根の全ての表面積である総歯根膜面積Ｓおよび歯周炎で喪失した歯根膜の表面積である喪失歯根膜面積ＳＬ、そして喪失していない歯根膜の表面積である残存歯根膜面積ＳＳを円錐体の側面積から計算する。かかる一連の演算工程を図３に基づき詳細に説明する。
【００６９】
１）擬似歯根を作る。
ａ）  図１（ａ）に示す単根歯の場合
図３（ａ）に示すように、セメント・エナメル境ＣＥＪ（以下，ＣＥＪと略称する）の部分における歯根（以下，ＣＥＪ部歯根と称す）の直径を、円錐体底面の直径とし、歯根長を円錐体の高さとする。ここで、ＣＥＪ部歯根における近遠心と頬舌側では値が異なるため、その平均値を算出する。
ｂ）  図１（ｂ）に示す複根歯で、上顎４番、５番の場合
図３（ｂ）に示すように、頬舌側の２根からなる２つの円錐体とみなす。
ｃ）  複根歯で、下顎６番、７番の場合
図３（ｃ）に示すように、近遠心の２根からなる２つの円錐体とみなす。
ｄ）  複根歯で、上顎６番、７番の場合
図３（ｄ）に示すように、口蓋側は頬舌側の１／２の巾の円錐体、頬側はさらに近遠心巾の１／２の巾の２つの円錐体からなる計３つの円錐体とみなす。
ｅ）  ここで、図３（ｂ）〜図３（ｄ）に示す場合も、図３（ａ）に示す単根歯と同様に、ＣＥＪ部歯根では近遠心と頬舌側とでは値が異なるため、その平均値を算出する。
ｆ）  ＣＥＪ部歯根は歯根近遠心側では歯冠寄りに、歯根頬舌側では歯根尖寄りに位置しているため、歯根の長さは近遠心部のＣＥＪ部歯根から根尖までの歯根長と、頬舌側部のＣＥＪ部歯根から根尖までの歯根長の平均値を使う。
ｇ）  多根歯の上顎４番、５番、６番、７番および下顎６番、７番は近遠心根ならびに頬舌根において歯根長が異なるため、それぞれ高さの異なる円錐体の集合体と見なす。
ｈ）  ここで、歯根ＣＥＪの部分の近遠心巾、頬舌巾及び歯根長は、日本人の歯牙解剖の成書上条雍彦著「日本人永久歯の解剖学」出版アナト―ム社の平均値を使った。
ｉ）  上記ａ）〜ｈ）に基づき算出された各歯種毎の疑似歯根の直径および歯根長（単位mm）を表３に示す。
【００７０】
【表３】
0005441141.tif 000008
【００７１】
２）  疑似歯根から総歯根膜面積Ｓを算出する。
疑似歯根の円錐体の側面積を総歯根膜面積Ｓと見なし、図４（ａ）におけるＨを歯根長、Ｃを歯根稜線長、ＲをＣＥＪ部歯根の直径、ｒをＣＥＪ部歯根の半径とすると、総歯根膜面積Ｓは、Ｓ＝πｒＣと表される。
【００７２】
ここで、ｒ＝Ｒ／２、Ｃ＝ＳＱＲＴ（ｒ２＋Ｈ２）を上式に代入することにより総歯根膜面積Ｓは式（５）で与えられる。
【００７３】
【数５】
0005441141.tif 000009
【００７４】
３）  疑似歯根から残存歯根膜面積ＳＳおよび喪失歯根膜面積ＳＬを算出する。
図４（ｂ）において、Ｍ，Ｓ，ＳＳ，ＳＬ、Ｘを次の通りとする。
【００７５】
Ｍ；実測した６点の計測値の最大のサンプリングアタッチメントレベル（単位ｍｍ）
Ｓ；総歯根膜面積（単位ｍｍ2）
ＳＳ；残存歯根膜面積（単位ｍｍ2）
ＳＬ；喪失歯根膜面積（単位ｍｍ2）
Ｘ；残存歯根の半径（単位ｍｍ）
この結果、残存歯根膜面積ＳＳは、ＳＳ＝πＸ（Ｃ−Ｍ）と表される。
【００７６】
上記ＳＳの式に次の値を代入して式（６）を得る。
【００７７】
【数６】
0005441141.tif 000010
この結果、残存歯根膜面積ＳＳは次式（７）で表される。
【００７８】
【数７】
0005441141.tif 000011
ここで、喪失歯根膜面積ＳＬ＝総歯根膜面積Ｓ−残存歯根膜面積ＳＳであることから、喪失歯根膜面積ＳＬは次式（８）で表される。
【００７９】
【数８】
0005441141.tif 000012
【００８０】
４）  上式（５）、（７）、（８）に各歯種により異なる表３で示した歯根長Ｈおよび直径Ｒの値を入力する。さらに表１に示す各歯の喪失時の歯種毎のサンプリングアタッチメントレベルを上式（５）、（７）、（８）にそれぞれ入力して歯の喪失時の各歯種歯根の総歯根膜面積Ｓ、残存歯根膜面ＳＳ、喪失歯根膜面積ＳＬを算出する。その結果を表４に示す。
【００８１】
【表４】
0005441141.tif 000013
【００８２】
上式（５）、（７）、（８）で与えられる総歯根膜面積Ｓ、残存歯根膜面ＳＳ、喪失歯根膜面積ＳＬを、そのまま利用しただけでは、歯周病の進行の程度を表す指標としては、前述の如く不十分である。そこで、本形態では、各歯の咬合力の違いによる影響を調べて、その結果を所定の指標の作成に反映させている。すなわち、咬合力で前記残存歯根膜面ＳＳ、喪失歯根膜面積ＳＬを修正することで各歯毎の歯周炎の進行程度をより正確に反映した指標を得られるのではないかと考え、次の検討を行なった。
【００８３】
複雑な咬合力は外力として各歯に作用していると考えられるが、主となり得る次の２つの要素で修正を加える。
１）  各歯の咬頭をテコの原理の作用点とすると顎関節の顆頭が支点と考えられる。そこで、下顎1番を基準とし各歯種の咬頭から顎関節顆頭までの距離の比により咬合力を修正する。つまり、前歯より大臼歯の方が顆頭に近いため、強大な咬合力が作用すると考える。
２）  咬合力を受ける咬頭と歯根尖までの長さが長い歯程、テコの原理で咬合力が外傷力として働き易いだろうと考える。そこで、上下顎歯が臨床的に咬合接触している部位から、最も遠い歯根尖までの距離を歯の長さとして使う。そして、下顎１番を基準とし、各歯種毎の歯の長さの比により咬合力を修正する。
【００８４】
上記１）および２）を考慮して、各歯の咬合力の関係を表す咬合力係数Ｂを考える。この咬合力係数Ｂは、解剖学的なデータとして予め与えられる各歯の咬頭から顎関節の顆頭までの距離Ｔと、基準位置を与える特定の基準歯から前記顆頭までの距離Ａとの比、および予め与えられる前記基準歯の歯の長さＰと、前記各歯の長さＱとの比に基づき前記各歯の咬頭をテコの作用点とし、前記顆頭を前記テコの支点とする咬合力係数Ｂを前記各歯に関してそれぞれ算出する。
【００８５】
すなわち、咬合力係数Ｂは、次式（９）で与えられる。
【００８６】
【数９】
0005441141.tif 000014
ここで、次の仮説を立てる。サンプリングアタッチメントＭに基づく各歯の喪失時の喪失歯根膜面積ＳＬは上記表４に示す様に、各歯種間で異なる。もし、これに咬合力を加味した修正を行うことで、各歯種間で同程度になるのなら、「歯根膜喪失の原因は咬合力である」ということができる。
【００８７】
そこで、まず修正値を比較した。具体的には、表４に示す喪失歯根膜面積ＳＬに、表５に示す咬合力係数Ｂを掛算し、各歯種の喪失時の歯根膜面積ＳＬに咬合力の修正を施した値（ＳＬ・Ｂ）を表６に示す。
【００８８】
【表５】
0005441141.tif 000015
【００８９】
【表６】
0005441141.tif 000016
【００９０】
その後、各歯種の喪失歯根膜面積ＳＬと、咬合力係数Ｂを加味して修正した喪失歯根膜面積ＳＬ・Ｂを各歯種間で比較検討する。結果は次の通りである。
【００９１】
１）  喪失歯根膜面積ＳＬについて；
ａ）  歯種による差が認められた（Ｐ＝0.0000013、繰り返しのない二元配置分散分析）。
ｂ）  上顎と下顎との間では差が認められた（Ｐ＝0.0046、繰り返しのない二元配置分散分析）。
ｃ）  左側と右側との間では差が認められない（対応のある場合のｔ一検定）
ｄ）  上下・左右６番を除くと、歯種による差が認められる（Ｐ＝０．００１４、繰り返しのない二元配置分散分析）が、上顎と下顎との間および左側と右側との間では差が認められない（繰り返しのない二元配置分散分析および対応のある場合のｔ一検定）。
【００９２】
２）  咬合力係数Ｂを加味して修正を施したＳＬ・Ｂについて；
ａ）  歯種による差が認められた（Ｐ＝０．００２５、繰り返しのない二元配置分散分析）。
ｂ）  上顎と下顎との間および左側と右側との間に差は認められない（繰り返しのない二元配置分散分析および対応のある場合のｔ一検定でも左右差はＮ．Ｓ.）。
ｃ）  上下・左右６番を除くと、歯種による差が認められない。また、上顎と下顎との間、および左側と右側との間に差は認められない（繰り返しのない二元配置分散分析および対応のある場合のｔ−検定）。
【００９３】
以上の結果、上記１）および２）により、上下６番を除いた場合、「歯根膜喪失の原因は咬合力である」と、結論づけることができる。
【００９４】
このように、「歯根膜喪失の原因は咬合力である」という事実を踏まえて咬合力係数Ｂと、サンプルアッタッチメントレベルＭに基づく歯の喪失時の喪失時喪失歯根膜面積ＳＬＢ０との関係を調べるべく、咬合力咬合力係数Ｂを横軸に採り、喪失歯根膜面積ＳＬを縦軸に採ってグラフを作成した。
【００９５】
次に、喪失歯根膜面積ＳＬおよび咬合力係数Ｂの統計処理結果から「上下・左右６番を除くと上顎と下顎との間および左側と右側との間に差は認められない」から一歯種にそれぞれ４サンプルとなる咬合力係数Ｂと喪失歯根膜面積ＳＬとの値を図５に示すグラフにプロットする。
【００９６】
この場合の咬合力係数（Ｂ）と喪失歯根膜面積（ＳＬ）との関係を表７に示す。
【００９７】
【表７】
0005441141.tif 000017
【００９８】
ここで、６番を除いた計２０サンプルを統計処理すると、咬合力係数Ｂと歯の喪失時の喪失歯根膜面積ＳＬとの間には、相関係数＝−０．８８２６、自由度調整済み決定係数＝０．７６６７で、非常に高度な直線的な相関性があることが分かった。すなわち、咬合力係数Ｂと歯の喪失時の喪失歯根膜面積ＳＬとの間には、
ＳＬ＝−２０３．９Ｂ＋２８１．２・・・（１０）
という直線的な関係が成立している。
【００９９】
上式（１０）で表される直線、すなわち「咬合力−喪失歯根膜直線」は咬合力係数Ｂと喪失歯根膜面積ＳＬがパラレルで対応することを示している。したがって、かかる「咬合力−喪失歯根膜直線」を求めることにより、具体例を一般論に置き換えられる。つまり咬合力係数Ｂは解剖学的数値であり、予め与えられる定数である。一方、上顎と下顎では咬合する点が異なるので咬合する点と顎関節顆頭までの距離も、また歯の長さも異なる。さらに解剖学的違いから東洋人と西洋人とでも異なる。よって咬合力−喪失歯根膜直線は咬合力係数Ｂと歯の喪失時の喪失歯根膜面積ＳＬとの関係を示す普遍的な式といえる。
【０１００】
したがって、上式（１０）に特定の歯の咬合力係数Ｂを代入すれば、一つの喪失歯根膜面積ＳＬが特定されるが、この喪失歯根膜面積ＳＬは解剖学的な定数として予め与えられる咬合力係数Ｂを加味した喪失時（抜歯時）の喪失時喪失歯根膜面積ＳＬＢ０を表す数値となる。喪失時喪失歯根膜面積ＳＬＢ０は、解剖学的定数である咬合力係数Ｂが求まれば一意に決定される。
【０１０１】
すなわち、図５に示すように、喪失時喪失歯根膜面積ＳＬＢ０は、特定の咬合力係数Ｂから縦軸方向に直線ＬＹを伸ばして咬合力−喪失歯根膜直線に接触させ、接触した点から横軸方向に直線ＬＸを伸ばして縦軸に接触した点の喪失歯根膜面積ＳＬの値として求まる。
【０１０２】
同様の処理を、各咬合力係数Ｂに関して行えば各咬合力係数Ｂを与える各歯の咬合力係数Ｂを加味した喪失時の喪失時喪失歯根膜面積ＳＬＢ０を求めることができる。
【０１０３】
ここで、残存歯根膜面積ＳＳ＝総歯根膜面積Ｓ−喪失歯根膜面積ＳＬとして与えられる。したがって、サンプルアッタッチメントレベルＭを与える特定の歯の喪失時の残存歯根膜面積ＳＳである喪失時残存歯根膜面積ＳＳＢ０は、
喪失時残存歯根膜面積ＳＳＢ０＝総歯根膜面積Ｓ−喪失時喪失歯根膜面積ＳＬＢ０
として与えられる。
【０１０４】
そこで、咬合力係数Ｂを加味した場合の残存歯根膜面積ＳＳＢの総歯根膜面積Ｓに対する割合として歯周炎の進行をより的確に反映した歯周炎指標ＢＰＩ（Periodontal  Index  Modified  Bite  Force）を定義することができる。すなわち、本形態における歯周炎指標ＢＰＩをＢＰＩ＝（ＳＳＢ／Ｓ）×１００（％）と定義する。
【０１０５】
かかる歯周炎指標ＢＰＩを歯周炎の進行程度を表わす指標とするには、歯の残存歯根膜ＳＳを変数とする場合において、咬合力係数Ｂを加味した残存歯根膜面積ＳＳＢに修正して用いる必要があるが、これは次のような手順により実現し得る。この手順を図６に基づき説明する。
【０１０６】
１）  まず、残存歯根膜面積ＳＳを横軸に採り、歯周炎指標ＢＰＩを縦軸に採った場合において、歯根膜がすべて残っている場合の歯周炎指標ＢＰＩである１００と、歯根膜が全部失われている場合の歯周炎指標ＢＰＩである０との２点を結ぶ直線を引く。
２）  次に、歯の喪失時の喪失時残存歯根膜ＳＳＢ０に基づく値として与えられる歯の喪失時の歯周炎指標ＢＰＩの値（図６の場合の点Ｐ５０＝５０とした）をプロットして、このプロットした点Ｐ５０を通る直線となるように前記直線を平行移動する。
３）  さらに、歯周炎指標ＢＰＩが０と１００の２点を通り、かつ前記プロットした点でのみ前記平行移動した直線に接する滑らかな曲線として歯周炎指標曲線を作成する。
４）  診察対象の歯の残存歯根膜面積ＳＳ等、特定の残存歯根膜面積ＳＳに対応する前記歯周炎指標曲線上の点Ｐを、前記特定の残存歯根膜面積ＳＳに対応する歯周炎指標ＢＰＩとする。図６ではＢＰＩ＝６０となる。
【０１０７】
本態様で定義される歯周炎指標ＢＰＩは、任意の残存歯根膜面積ＳＳに対する歯周炎指標曲線上の点として与えられる。このように、歯周炎指標曲線を利用して残存歯根膜面積ＳＳを特定するだけで咬合力を加味した所望の歯周炎指標ＢＰＩを得ることができる。
【０１０８】
かかる歯周炎指標ＢＰＩは、歯周炎の進行の程度を的確に反映した客観的な指標となり、抜歯基準を客観的に提示する指標として、より高精度に歯周病臨床に則した歯の健康度の絶対的な指標とすることができる。
【０１０９】
本形態における歯周炎指標ＢＰＩは、擬似歯根や咬合力係数Ｂ等の概念を導入して定義されるが、ここで疑似歯根および咬合力係数Ｂを導出するための解剖学的データに関して説明しておく。本形態では、骨格の異なる世界の人種を東洋人と西洋人の２つに大きく分類した。東洋人は歯周炎と咬合力で示された上条雍彦著「日本人永久歯の解剖学」出版アナト―ム社のデータを代表として使用した。
【０１１０】
一方、西洋人は次の２つを代表として使用した。
【０１１１】
歯根巾・歯根長：  Woelfel`s  Dental  Anatomy
Rickne c. Seheid
Gadriela Weiss
Wolters Kluwer
顎関節        ：  Head and Neck Anatomy for
Dental Medicine
Edited by Eric W. Baker Thieme
上記それぞれの資料から、次のデータを揃えた。
【０１１２】
Ｒ：  歯根（ＣＥＪ部）直径（ｍｍ）
Ｈ：  歯根長（ｍｍ）
Ｑ：  咬頭頂から歯根尖までの距離（歯の長さ）
Ｔ：  咬合力機能部位より顎関節顆頭までの距離
Ｐ：  下顎前歯1番の切縁から歯根尖までの距離
Ａ：  下顎前歯1番の切縁から顎関節顆頭までの距離
【０１１３】
東洋人および西洋人に関する、解剖学的データを表８に、また総歯根膜面積と咬合力係数を表９に、各歯の喪失時の喪失時残存歯根膜面積ＳＳＢ０および喪失時喪失歯根膜面積ＳＬＢ０を表１０にそれぞれ示す。
【０１１４】
【表８】
0005441141.tif 000018
【０１１５】
【表９】
0005441141.tif 000019
【０１１６】
【表１０】
0005441141.tif 000020
【０１１７】
図７は上記解剖データを利用して作成した東洋人及び西洋人の歯種別ＢＰＩ曲線を示している。この歯種別ＢＰＩ曲線を利用して検査対象となる歯の残存歯根膜面積ＳＳを特定することにより、これに対応する歯周炎指標ＢＰＩを人種別に、簡単に求めることができる。
【０１１８】
図７に示す歯種別ＢＰＩ曲線を用いれば、所望の歯の歯周炎指標ＢＰＩを任意に求めることができ、これを歯周炎の診断に用いることもできる。
【０１１９】
かかる歯周炎の診断においては、まず診断の対象となる歯のアタッチメントレベルを実測して実測アタッチメントレベルＭ１を求める。かかる実測は、例えばポケットプローベを用いて好適に実施し得る。実測は、歯の頬側根、口蓋根、頬側近心根、頬側遠心根、近心根、遠心根の６箇所において行い、最も大きい値を実測アッタチメントレベルＭ１として採用する。
【０１２０】
次に、前述の如き方法で、実測アタッチメントレベルＭ１に基づき残存歯根膜面積ＳＳを求め、図７の歯種別ＢＰＩ曲線のうち、診断の対象となっている歯に対応するＢＰＩ曲線ｗを選択して、その横軸で前記残存歯根膜面積ＳＳに対応する点を特定し、この点に対応するＢＰＩ曲線上の点に対応する縦軸の歯周炎指標ＢＰＩを読む。
【０１２１】
かくして求まる歯周炎指標ＢＰＩの数値により歯周炎の進行の程度を診断する。ちなみにこの数値が大きいほど健康な歯であることを示している。したがって、例えば、ＢＰＩ＝４０〜６０を注意領域、４０未満を危険領域、６０を超える場合を安全領域として、歯周炎の進行に関する注意を喚起することもできる。
【０１２２】
なお、本形態に係る歯周炎指標の作成方法においては、図５に基づき求まる咬合力を加味した喪失時歯周炎指標ＢＰＩを与える１点に、歯周炎指標ＢＰＩが零（歯根膜が全部失われ、残存歯根膜面積ＳＳが零）および１００（歯根膜が全部残り、残存歯根膜面積ＳＳが全歯根膜面積に等しい）の２点を加えた３点が与えられるので、上述の如き処理で１つの歯周炎指標曲線が一意に定まる。ただ、図５に基づき求まる咬合力を加味した喪失時歯周炎指標ＢＰＩを利用する方法であれば、歯周炎指標曲線の作成方法に特別な制限はない。
【０１２３】
さらに、歯周炎指標作成工程は必ずしも必要ではない場合もある。図５に基づき求まる咬合力を加味した喪失時歯周炎指標ＢＰＩが求まれば、単独で抜歯の客観的な基準とすることができる場合も考えられ、また喪失時歯周炎指標ＢＰＩさえ求まれば、これを利用して咬合力を加味した残存歯根膜面積ＳＳＢと総歯根膜面積Ｓとの比である歯周炎指標ＢＰＩは、種々の方法により求めることができると考えられるからである。
【０１２４】
＜歯周炎指標の作成装置兼歯周炎の診断装置＞
図８は本発明の実施の形態に係る歯周炎指標作成装置を示すブロック図、図９はその演算処理部のハードウエア構成を示すブロック図である。図８に示すように、歯周炎指標作成装置Ｉは、入力装置１１、入力装置１１を介して所定のデータを入力して所定の情報処理を実行する演算処理部１０および演算処理部１０で処理した結果を出力する出力装置１２からなる。
【０１２５】
ここで、入力装置１１は、歯周炎指標ＢＰＩを作成するための基礎データであるサンプリングアタッチメントレベルＭを表すデータおよび歯周炎の診断を行なうため、対象となる歯に関して計測した実測アタッチメントレベルＭ１を表すデータを演算処理に供給する等、演算処理に必要なデータを供給するものである。
【０１２６】
演算処理部１０は、歯根膜面積演算手段１０Ａ、咬合力係数演算手段１０Ｂ、直線作成手段１０Ｃ、喪失時喪失歯根膜面積検出手段１０Ｄ、喪失時歯周炎指標演算手段１０Ｅ、歯周炎指標作成手段１０Ｆを有している。
【０１２７】
ここで、歯根膜面積演算手段１０Ａは、各歯の総歯根膜面積（Ｓ）および抜歯した各歯のサンプルアタッチメントレベルＭに基づく各歯の喪失歯根膜面積ＳＳを算出する。同時に、歯根膜面積演算手段１０Ａは、診断の対象となる特定の歯の実測アッタチメントレベルＭ１に基づく残存歯根膜面積ＳＳも算出する。
【０１２８】
咬合力係数演算手段１０Ｂは、解剖学的データとして予め与えられる各歯の咬頭から顎関節の顆頭までの距離Ｔと、基準位置を与える特定の基準歯から顆頭までの距離Ａとの比、および予め与えられる基準歯の歯の長さＰと、各歯の長さＱとの比に基づき各歯の咬頭をテコの作用点とし、顆頭をテコの支点とする咬合力係数Ｂを各歯に関してそれぞれ算出する。
【０１２９】
直線作成手段１０Ｃは、各歯種のみによって異なる咬合力係数Ｂと、喪失歯根膜面積ＳＬとの関係を各歯種毎に統計処理した場合に、両者の値に直線関係があることを利用して前記咬合力係数Ｂと、前記喪失歯根膜面積ＳＬとの関係を示す直線の式（ＳＬ＝α・Ｂ＋β；ただしα、βは定数）である咬合力-喪失歯根膜直線を作成する。
【０１３０】
喪失時喪失歯根膜面積検出手段１０Ｄは、直線作成手段１０Ｃにおいて得られた咬合力-喪失歯根膜直線に基づき、咬合力係数Ｂを加味して補正した各歯の喪失時の喪失歯根膜面積である喪失時喪失歯根膜面積ＳＬＢ０を算出する。
【０１３１】
喪失時歯周炎指標演算手段１０Ｅは、総歯根膜面積から喪失時喪失歯根膜面積を引いて求める喪失時残存歯根膜面積に基づき、（喪失時残存歯根膜面積（ＳＳＢ０）／総歯根膜面積（Ｓ））×１００（％）を各歯の喪失時の歯周炎指標ＢＰＩとして算出する。
【０１３２】
歯周炎指標作成手段１０Ｆは、歯根膜がすべて残っている場合の歯周炎指標（ＢＰＩ）を１００とし、歯根膜が全部失われている場合の歯周炎指標（ＢＰＩ）を０とし、各歯の喪失時の歯周炎指標（ＳＳＢ０／Ｓ）を喪失時歯周炎指標としてこれらの値を表わす３点を通る歯周炎指標曲線によって表わされ、総歯根膜面積Ｓに対する各歯の咬合力係数を加味した残存歯根膜面積ＳＳの割合である歯周炎指標ＢＰＩを作成する。同時に、歯周炎指標作成手段１０Ｆは、診断の対象となる特定の歯の実測アッタチメントレベルＭ１に基づき算出された残存歯根膜面積ＳＳに対応する歯周炎指標ＢＰＩを歯周炎指標曲線を参照して求め、診断対象となっている特定の歯の歯周炎指標ＢＰＩを作成する。
【０１３３】
出力装置１２は、歯周炎指標作成手段１０Ｆで作成した歯周炎指標ＢＰＩを表すデータを入力して、その内容を印字、ディスプレイ表示等により可視化する。
【０１３４】
ここで、図９に示す演算処理部１０は、ＣＰＵ２１、ＲＡＭ２２、ＲＯＭ２３、ハードディスク２４等の記憶手段を備え、キーボードや記録媒体読み取り装置等の入力装置１１と、ディスプレイ、プリンタ等の出力装置１２が接続されている。
【０１３５】
本形態によれば、サンプルアタッチメントレベルＭに関するサンプリングデータを演算処理部１０に入力するだけで、自動的に咬合力を加味した歯周炎指標ＢＰＩを簡単に得ることができる。この結果、より高精度に歯周病臨床に則した歯の健康度の絶対的な指標を容易に提供することができる。
【０１３６】
また、診断対象となる特定の歯の実測アタッチメントレベルＭ１のデータを入力するだけで、歯種により異なる咬合力を加味した歯周炎指標ＢＰＩを簡単かつ自動的に求めることができるので、歯周炎治療の際の的確かつ客観的な抜歯基準を容易に得ることができ、適切な歯周炎治療を容易かつ迅速に行うことができる。
【０１３７】
なお、本形態に係る歯周炎指標の作成装置においては、作成方法で述べたのと同様の理由で、歯周炎指標作成手段１０Ｆは、必ずしも必要でない場合が考えられる。
【０１３８】
＜歯周炎指標作成プログラムおよび歯周炎の診断プログラム＞
本実施形態は、前記実施の形態に記載する歯周炎指標の作成方法における歯根膜面積演算工程、咬合力係数演算工程、喪失歯根膜面積検出工程、喪失時歯周炎指標演算工程および歯周炎指標作成工程の各処理を歯周炎指標作成装置または歯周炎の診断装置に実行させるプログラムである。
【０１３９】
本形態によれば、前記実施の形態に係る歯周炎指標の作成方法における所定の工程の処理を図８に示す歯周炎指標作成装置に良好に実行させることができる。
【０１４０】
また、他の実施形態は、前記実施の形態の歯周炎の診断方法における実測アタッチメントレベルＭ１に基づく診断対象の歯の残存歯根膜面積ＳＳを算出するとともに、歯周炎指標作成工程により残存歯根膜面積ＳＳに対応する診断対象となる特定の歯の歯周炎指標ＢＰＩを作成する処理を、図８に示す歯周炎の診断装置に実行させるプログラムである。
【０１４１】
本態様によれば、所定の歯周炎指標を自動的に生成させて、容易かつ迅速な歯周炎の治療に資することができる。
【０１４２】
＜記録媒体＞
上記歯周炎指標作成プログラムおよび歯周炎の診断プログラムはＤＶＤ等の記録媒体に記録させることができる。かかる記録媒体により本発明に係るプログラムの頒布等を良好に行うことができる。この結果、パソコン等のハードウエアがあれば、これに対しインストールすることにより、何処でも容易に歯周炎作成装置としての機能を発揮させることができる。
【産業上の利用可能性】
【０１４３】
本発明は歯科医療分野、特に歯周病の治療を行なう際の客観的な抜歯基準を与える産業分野において好適に利用し得るものである。
【符号の説明】
【０１４４】
Ｉ            歯周炎指標作成装置
１０            演算処理部
１０Ａ          歯根膜面積演算手段
１０Ｂ          咬合力係数演算手段
１０Ｃ          直線作成手段
１０Ｄ          喪失時喪失歯根膜面積検出手段
１０Ｅ          喪失時歯周炎指標演算手段
１０Ｆ          歯周炎指標作成手段
１１            入力装置
１２            出力装置
【要約】
保存不可能として抜歯された複数の歯を対象として、歯種毎にそれぞれ複数本づつを抽出して測定した各歯のサンプルアタッチメントレベル（Ｍ）と、総歯根膜面積（Ｓ）に基づき喪失歯根膜面積（ＳＬ）を算出し、さらに各歯の咬合力を反映した各歯種のみによって異なる咬合力係数（Ｂ）と、各歯の喪失時の喪失歯根膜面積（ＳＬＢ）との関係を各歯種毎に統計処理し、この際両者に直線的関係があることを利用して咬合力係数（Ｂ）と、歯の喪失時の喪失歯根膜面積（ＳＬＢ）との関係を示す直線の式を作成し、前記歯の喪失時の喪失歯根膜面積（ＳＬＢ）に基づき求める（咬合力を加味した残存歯根膜面積（ＳＳＢ）／総歯根膜面積（Ｓ））×１００（％）を歯周炎の進行度合いを表す歯周炎指標ＢＰＩとして算出する。【図１】
0005441141.tif 000025
【図２】
0005441141.tif 000026
【図３】
0005441141.tif 000027
【図４】
0005441141.tif 000028
【図５】
0005441141.tif 000029
【図６】
0005441141.tif 000030
【図７】
0005441141.tif 000031
【図８】
0005441141.tif 000032
【図９】
0005441141.tif 000033